(57)【特許請求の範囲】
【請求項１】
転石が存在する斜面のネット敷設範囲に敷設されたネットと、
前記転石の形状に略沿うように前記転石より斜面下側の位置に固定されたネット用ロックボルトと、
前記ネット用ロックボルトに設置され、前記ネットの前記転石の下方部分を前記斜面に向かって押し付けるネット用支圧板と、
前記転石および前記ネット用ロックボルトを包囲し、前記ネット敷設範囲の少なくとも四隅に固定されたワイヤー用ロックボルトと、
前記ネット敷設範囲の周囲に略矩形状または略井桁状に配置された縦ワイヤーおよび横ワイヤーと、
前記ワイヤー用ロックボルトに設置され、前記縦ワイヤーと前記横ワイヤーとの交差部を前記斜面に向かって押し付けるワイヤー用支圧板と、
前記ネットと前記縦ワイヤーとを接続するワイヤークリップと、
前記ネットと前記横ワイヤーとを接続するワイヤークリップと、
を有する転石固定構造。
【請求項２】
転石が存在する斜面のネット敷設範囲に敷設されたネットと、前記転石より斜面下側の位置に固定されたネット用ロックボルトと、前記ネット用ロックボルトに設置され、前記ネットを前記斜面に向かって押し付けるネット用支圧板と、前記転石および前記ネット用ロックボルトを包囲し、前記ネット敷設範囲の少なくとも四隅に固定されたワイヤー用ロックボルトと、前記ネット敷設範囲の周囲に略矩形状または略井桁状に配置された縦ワイヤーおよび横ワイヤーと、前記ワイヤー用ロックボルトに設置され、前記縦ワイヤーと前記横ワイヤーとの交差部を前記斜面に向かって押し付けるワイヤー用支圧板と、前記ネットと前記縦ワイヤーとを接続するワイヤークリップと、前記ネットと前記横ワイヤーとを接続するワイヤークリップと、を有し、
前記ネット用ロックボルトは、前記転石の斜面下側の形状に沿って、略円弧状に間隔を空けて複数配置されていることを特徴とする転石固定構造。
【請求項３】
転石が存在する斜面のネット敷設範囲に敷設されたネットと、前記転石より斜面下側の位置に固定されたネット用ロックボルトと、前記ネット用ロックボルトに設置され、前記ネットを前記斜面に向かって押し付けるネット用支圧板と、前記転石および前記ネット用ロックボルトを包囲し、前記ネット敷設範囲の少なくとも四隅に固定されたワイヤー用ロックボルトと、前記ネット敷設範囲の周囲に略矩形状または略井桁状に配置された縦ワイヤーおよび横ワイヤーと、前記ワイヤー用ロックボルトに設置され、前記縦ワイヤーと前記横ワイヤーとの交差部を前記斜面に向かって押し付けるワイヤー用支圧板と、前記ネットと前記縦ワイヤーとを接続するワイヤークリップと、前記ネットと前記横ワイヤーとを接続するワイヤークリップと、を有し、
前記縦ワイヤーは、端部から所定の長さの位置である折り返し位置において折り返され、重なった範囲がワイヤークリップによって把持されると共に、前記折り返し位置に係止孔が形成され、前記横ワイヤーは、端部から所定の長さの位置である折り返し位置において折り返され、重なった範囲がワイヤークリップによって把持されると共に、前記折り返し位置に係止孔が形成され、
前記ワイヤー用ロックボルトが、前記縦ワイヤーの係止孔と前記横ワイヤーの係止孔とを貫通することを特徴とする転石固定構造。
【請求項４】
転石が存在する斜面のネット敷設範囲に敷設されたネットと、前記転石より斜面下側の位置に固定されたネット用ロックボルトと、前記ネット用ロックボルトに設置され、前記ネットを前記斜面に向かって押し付けるネット用支圧板と、前記転石および前記ネット用ロックボルトを包囲し、前記ネット敷設範囲の少なくとも四隅に固定されたワイヤー用ロックボルトと、前記ネット敷設範囲の周囲に略矩形状または略井桁状に配置された縦ワイヤーおよび横ワイヤーと、前記ワイヤー用ロックボルトに設置され、前記縦ワイヤーと前記横ワイヤーとの交差部を前記斜面に向かって押し付けるワイヤー用支圧板と、前記ネットと前記縦ワイヤーとを接続するワイヤークリップと、前記ネットと前記横ワイヤーとを接続するワイヤークリップと、を有し、
前記ネット用支圧板は、略円弧状の平板で、前記ネット用ロックボルトが貫通する貫通孔が形成された底板と、前記底板の曲率半径が小さい方の側縁に沿って形成された上側板とを具備し、
前記底板と前記上側板とが断面略円弧状の曲面によって連続し、
前記底板と前記上側板とに跨がって前記底板と前記上側板とに固定された補強板を具備することを特徴とする転石固定構造。
【請求項５】
転石が存在する斜面において、前記転石の形状に略沿うように前記転石より斜面下側の位置にネット用ロックボルトを固定する工程と、
前記斜面の前記転石および前記ネット用ロックボルトを包囲するネット敷設範囲の四隅にそれぞれワイヤー用ロックボルトを固定する工程と、
ネットを、前記ネット敷設範囲に敷設する工程と、
前記ネット敷設範囲の周囲に略矩形状または略井桁状に縦ワイヤーおよび横ワイヤーを配置する工程と、
前記ネット用ロックボルトにネット用支圧板を設置して、前記ネットの前記転石の下方部分を前記斜面に向かって押し付ける工程と、
前記ワイヤー用ロックボルトにワイヤー用支圧板を設置して、前記縦ワイヤーと前記横ワイヤーとの交差部を前記斜面に向かって押し付ける工程と、
前記ネットと前記縦ワイヤーとをワイヤークリップによって、前記ネットと前記横ワイヤーとをワイヤークリップによって、それぞれ接続する工程と、
を有する転石固定工法。
【発明の詳細な説明】
【技術分野】
【０００１】
本発明は、転石固定構造および転石固定工法、特に、斜面における転石の滑落を抑える転石固定構造および転石固定工法に関する。
【背景技術】
【０００２】
従来、斜面（法面に同じ）に埋もれた礫、石、岩や斜面から一部が露出した浮石等（本発明において「転石」と総称している）の滑落を防止するため、斜面を網体で被覆する覆網式落石防止工法として、上端部が斜面に固定された縦ワイヤーと左右の端部が斜面に固定された横ワイヤーとが縦横に組み合わされ、縦ワイヤーと横ワイヤーとによって形成された升目全体が網体（金網）によって覆われ、縦ワイヤーと横ワイヤーとがその交差部において連結金具によって一定の挾持力で保持されたものが開示されている（例えば、特許文献１参照）。
【先行技術文献】
【特許文献】
【０００３】
【特許文献１】特開２０００−２６５４２０号公報（第２−３頁、図１）
【発明の概要】
【発明が解決しようとする課題】
【０００４】
前記特許文献１に開示された発明は、落石によって挾持摩擦力以上の衝撃力が網体に加わった際に、縦ワイヤーと横ワイヤーとの挾持個所が移動するため、縦ワイヤーや横ワイヤーが伸長することによって衝撃力が吸収され、網体を壊すことなく落石を斜面の下部に落下させることができるものの、以下のような問題があった。
（あ）すなわち、当該発明は、落石の発生自体を抑え込むのではなく、網体と斜面との隙間において落石を落下させるものであるため、落下距離（落差）が大きい場合には、過大な衝撃力が網体等に加わることから、過剰な強度の網体や横ワイヤー等が必要になり、コストが高くなる。
（い）また、斜面の比較的狭い範囲を網体で覆う場合、縦ワイヤーや横ワイヤーは短く、衝撃力が網体に加わった際の伸長量が少ないことから、衝撃力の吸収が期待できない。
（う）また、縦ワイヤーの下端部が斜面に固定されていないため、網体と斜面との隙間を落下した落石は、斜面の終端部に堆積し、その一部が道路等に転がり出ることがある。
【０００５】
本発明は、このような問題を解消するものであり、網体を敷設する斜面の大きさに左右されることなく適用することが可能であって、落石や浮石が発生した場合でも、滑落の初期に落石（浮石）を受け止めることによって、網体等に加わる衝撃力を小さく抑えることができ、しかも、網体の終端部から転石の一部が道路等に転がり出ることがない転石固定構造および転石固定工法を提供することを目的とする。
【課題を解決するための手段】
【０００６】
（１）発明に係る転石固定構造は、転石が存在する斜面のネット敷設範囲に敷設されたネットと、
前記転石の形状に略沿うように前記転石より斜面下側の位置に固定されたネット用ロックボルトと、
前記ネット用ロックボルトに設置され、前記ネットの前記転石の下方部分を前記斜面に向かって押し付けるネット用支圧板と、
前記転石および前記ネット用ロックボルトを包囲し、前記ネット敷設範囲の少なくとも四隅に固定されたワイヤー用ロックボルトと、
前記ネット敷設範囲の周囲に略矩形状または略井桁状に配置された縦ワイヤーおよび横ワイヤーと、
前記ワイヤー用ロックボルトに設置され、前記縦ワイヤーと前記横ワイヤーとの交差部を前記斜面に向かって押し付けるワイヤー用支圧板と、
前記ネットと前記縦ワイヤーとを接続するワイヤークリップと、
前記ネットと前記横ワイヤーとを接続するワイヤークリップと、
を有する。
（２）また、転石が存在する斜面のネット敷設範囲に敷設されたネットと、前記転石より斜面下側の位置に固定されたネット用ロックボルトと、前記ネット用ロックボルトに設置され、前記ネットを前記斜面に向かって押し付けるネット用支圧板と、前記転石および前記ネット用ロックボルトを包囲し、前記ネット敷設範囲の少なくとも四隅に固定されたワイヤー用ロックボルトと、前記ネット敷設範囲の周囲に略矩形状または略井桁状に配置された縦ワイヤーおよび横ワイヤーと、前記ワイヤー用ロックボルトに設置され、前記縦ワイヤーと前記横ワイヤーとの交差部を前記斜面に向かって押し付けるワイヤー用支圧板と、前記ネットと前記縦ワイヤーとを接続するワイヤークリップと、前記ネットと前記横ワイヤーとを接続するワイヤークリップと、を有し、
前記ネット用ロックボルトは、前記転石の斜面下側の形状に沿って、略円弧状に間隔を空けて複数配置されていることを特徴とする。
【０００７】
（３）また、本発明に係る転石固定構造は、転石が存在する斜面のネット敷設範囲に敷設されたネットと、前記転石より斜面下側の位置に固定されたネット用ロックボルトと、前記ネット用ロックボルトに設置され、前記ネットを前記斜面に向かって押し付けるネット用支圧板と、前記転石および前記ネット用ロックボルトを包囲し、前記ネット敷設範囲の少なくとも四隅に固定されたワイヤー用ロックボルトと、前記ネット敷設範囲の周囲に略矩形状または略井桁状に配置された縦ワイヤーおよび横ワイヤーと、前記ワイヤー用ロックボルトに設置され、前記縦ワイヤーと前記横ワイヤーとの交差部を前記斜面に向かって押し付けるワイヤー用支圧板と、前記ネットと前記縦ワイヤーとを接続するワイヤークリップと、前記ネットと前記横ワイヤーとを接続するワイヤークリップと、を有し、
前記縦ワイヤーは、端部から所定の長さの位置である折り返し位置において折り返され、重なった範囲がワイヤークリップによって把持されると共に、前記折り返し位置に係止孔が形成され、前記横ワイヤーは、端部から所定の長さの位置である折り返し位置において折り返され、重なった範囲がワイヤークリップによって把持されると共に、前記折り返し位置に係止孔が形成され、
前記ワイヤー用ロックボルトが、前記縦ワイヤーの係止孔と前記横ワイヤーの係止孔とを貫通することを特徴とする。
（４）また、本発明に係る転石固定構造は、転石が存在する斜面のネット敷設範囲に敷設されたネットと、前記転石より斜面下側の位置に固定されたネット用ロックボルトと、前記ネット用ロックボルトに設置され、前記ネットを前記斜面に向かって押し付けるネット用支圧板と、前記転石および前記ネット用ロックボルトを包囲し、前記ネット敷設範囲の少なくとも四隅に固定されたワイヤー用ロックボルトと、前記ネット敷設範囲の周囲に略矩形状または略井桁状に配置された縦ワイヤーおよび横ワイヤーと、前記ワイヤー用ロックボルトに設置され、前記縦ワイヤーと前記横ワイヤーとの交差部を前記斜面に向かって押し付けるワイヤー用支圧板と、前記ネットと前記縦ワイヤーとを接続するワイヤークリップと、前記ネットと前記横ワイヤーとを接続するワイヤークリップと、を有し、
前記ネット用支圧板は、略円弧状の平板で、前記ネット用ロックボルトが貫通する貫通孔が形成された底板と、前記底板の曲率半径が小さい方の側縁に沿って形成された上側板とを具備し、
前記底板と前記上側板とが断面略円弧状の曲面によって連続し、
前記底板と前記上側板とに跨がって前記底板と前記上側板とに固定された補強板を具備することを特徴とする。
【０００８】
（５）本発明に係る転石固定工法は、転石が存在する斜面において、前記転石の形状に略沿うように前記転石より斜面下側の位置にネット用ロックボルトを固定する工程と、
前記斜面の前記転石および前記ネット用ロックボルトを包囲するネット敷設範囲の四隅にそれぞれワイヤー用ロックボルトを固定する工程と、
ネットを、前記ネット敷設範囲に敷設する工程と、
前記ネット敷設範囲の周囲に略矩形状または略井桁状に縦ワイヤーおよび横ワイヤーを配置する工程と、
前記ネット用ロックボルトにネット用支圧板を設置して、前記ネットの前記転石の下方部分を前記斜面に向かって押し付ける工程と、
前記ワイヤー用ロックボルトにワイヤー用支圧板を設置して、前記縦ワイヤーと前記横ワイヤーとの交差部を前記斜面に向かって押し付ける工程と、
前記ネットと前記縦ワイヤーとをワイヤークリップによって、前記ネットと前記横ワイヤーとをワイヤークリップによって、それぞれ接続する工程と、
を有する。
【発明の効果】
【０００９】
（ｉ）本発明に係る転石固定構造は、転石を覆うネットが、斜面の転石より斜面下側の位置において、斜面に押し付けられるから、落石や浮石（以下「転石」と総称する）の発生を抑えると共に、転石が発生した場合でも、滑落の初期に転石を受け止めることができる。したがって、ネットに加わる衝撃力を小さく抑えることができる。また、ネットの斜面下側の縁が横ワイヤーによって、斜面に押し付けられるから、ネットの終端部から転石の一部が道路等に転がり出ることがない。
（ｉｉ）また、ネットは、転石の斜面下側の形状に沿って斜面に押し付けられるから、転石の発生を効果的に抑え、また、転石を効果的に受け止めることができる。
【００１０】
（ｉｉｉ）また、ワイヤー用ロックボルトが、縦ワイヤーの係止孔と横ワイヤーの係止孔とを貫通するから、縦ワイヤーと横ワイヤーとが確実に交差すると共に、それぞれの端部が移動不能に位置決めされる。
（ｉｖ）また、ネット用支圧板は、曲面によって連続した底板および上側板と、両者を連結する補強板とを具備するから、転石の荷重を確実に受け止めることができ、ネットに集中的な荷重がかからないようにして、転石の荷重を確実に受け止めることができ、さらに、落葉や土砂類の堆積が促進される。したがって、転石固定構造の信頼性が担保されると共に、緑化の促進により自然の美観が戻ることによる環境保全に寄与する。
（ｖ）さらに、本発明に係る転石固定工法は、前記工程を有するから、各工程が簡素であって、迅速な作業をすることができるため、工期の短縮を図ることができる。
【図面の簡単な説明】
【００１１】
【図１】本発明の実施形態１に係る転石固定構造を説明する模式的に示す平面図および側面視の断面図。
【図２】図１に示す転石固定構造のネット用支圧板を示す平面図と側面視の断面図。
【図３】図１に示す転石固定構造のネット用ロックボルトとネット用支圧板との構造を拡大して示す側面視の断面図。
【図４】図１に示す転石固定構造のロックワッシャー、ロックナットおよびキャップ）を示す側面視の断面図。
【図５】図１に示す転石固定構造のワイヤー用支圧板を示す平面図と側面視の断面図。
【図６】図１に示す転石固定構造のワイヤー用ロックボルトとワイヤー用支圧板との構造を拡大して示す側面視の断面図。
【図７】図１に示す転石固定構造のワイヤークリップを示す左右側面図と平面図。
【図８】図１に示す転石固定構造の縦ワイヤーおよび横ワイヤーを示す平面図。
【図９】本発明の実施形態２に係る転石固定工法を説明するフローチャート。
【発明を実施するための形態】
【００１２】
［実施の形態１］
図１〜図８は本発明の実施形態１に係る転石固定構造を説明するものであって、図１の（ａ）は模式的に示す平面図、図１の（ｂ）は側面視の断面図、図２の（ａ）は一部構成部材（ネット用支圧板）を示す平面図、図２の（ｂ）は一部構成部材（ネット用支圧板）を示す側面視の断面図、図３は一部（ネット用ロックボルトとネット用支圧板）の構造を拡大して示す側面視の断面図、図４の（ａ）は一部構成部材（ロックワッシャー）を示す側面視の断面図、図４の（ｂ）は一部構成部材（ロックナット）を示す側面視の断面図、図４の（ｃ）は一部構成部材（キャップ）を示す側面視の断面図、図５の（ａ）は一部構成部材（ワイヤー用支圧板）を示す平面図、図５の（ｂ）は一部構成部材（ワイヤー用支圧板）を示す側面視の断面図、図６は一部（ワイヤー用ロックボルトとワイヤー用支圧板）の構造を拡大して示す側面視の断面図、図７の（ａ）は一部構成部材（ワイヤークリップ）を示す左側面図、図７の（ｂ）は一部構成部材（ワイヤークリップ）を示す平面図、図７の（ｃ）は一部構成部材（ワイヤークリップ）を示す右側面図、図８は一部構成部材（縦ワイヤーおよび横ワイヤー）を拡大して示す平面図である。
なお、各図は模式的に描かれ、特に、理解を容易にするため、一部当接する構成部材同士であっても、隙間を空けて描かれているため、相互の大きさ等は図示する形態に限定されるものではない。
【００１３】
（転石固定構造）
図１の（ａ）および（ｂ）において、転石固定構造１００は、転石８００が存在する斜面９００に敷設されたネット１と、斜面９００の転石８００より斜面下側の位置に固定されたネット用ロックボルト２ａ、２ｂ、２ｃと、ネット用ロックボルト２ａ、２ｂ、２ｃに設置され、ネット１を斜面９００に向かって押し付けるネット用支圧板３ａ、３ｂ、３ｃと、転石８００およびネット用ロックボルト２ａ、２ｂ、２ｃを包囲し、斜面９００の略矩形状の範囲（以下「ネット敷設範囲」と称す）９０１の四隅（図１において「イ、ロ、ハ、ニ」にて示す）に固定されたワイヤー用ロックボルト４ａ、４ｂ、４ｃ、４ｄと、略矩形状または略井桁状に配置された縦ワイヤー６ａ、６ｂおよび横ワイヤー７ａ、７ｂと、を有している。
【００１４】
そして、ワイヤー用ロックボルト４ａには、縦ワイヤー６ａと横ワイヤー７ａとの交差部を斜面９００に向かって押し付けるワイヤー用支圧板５ａが設置され、ワイヤー用ロックボルト４ｂには、縦ワイヤー６ｂと横ワイヤー７ａとの交差部を斜面９００に向かって押し付けるワイヤー用支圧板５ｂが設置され、ワイヤー用ロックボルト４ｃには、縦ワイヤー６ｂと横ワイヤー７ｂとの交差部を斜面９００に向かって押し付けるワイヤー用支圧板５ｃが設置され、ワイヤー用ロックボルト４ｄには、縦ワイヤー６ａと横ワイヤー７ｂとの交差部を斜面９００に向かって押し付けるワイヤー用支圧板５ｄが設置されている。
さらに、ネット１と縦ワイヤー６ａ、６ｂとが、また、ネット１と横ワイヤー７ａ、７ｂとが、それぞれ結合コイル８によって結合されている。
【００１５】
なお、以下の説明において、共通する内容については、符号の添え字「ａ、ｂ、ｃ、ｄ」の記載を省略する。
また、説明の便宜上、ネット敷設範囲９０１内に１個の転石８００がある場合を示しているが、本発明はこれに限定するものではなく、ネット敷設範囲９０１内に複数個の転石８００があってもよく、このとき、それぞれの転石８００の斜面下側にネット用ロックボルト２が設置される。
また、ワイヤー用ロックボルト４およびワイヤー用支圧板５は、縦ワイヤー６と横ワイヤー７との交差部を斜面９００に押し付けるものに限定するものではなく、縦ワイヤー６または横ワイヤー７の途中を斜面９００に押し付けてもよい。このとき、ワイヤー用ロックボルト４は５本以上になる。
さらに、縦ワイヤー６および横ワイヤー７はそれぞれ一対に限定するものではなく、梯子状や格子状に配置された３本以上の縦ワイヤー６や横ワイヤー７を具備してもよい。
【００１６】
（ネット用支圧板）
図２において、ネット用支圧板３は、一方の面が開口した函体であって、略円弧状の平板である底板３１と、底板３１の曲率半径が小さい方の側縁（凹側の側縁）に沿って形成された上側板３２と、底板３１の曲率半径が大きい方の側縁（凸側の側縁）に沿って形成された下側板３３と、底板３１、上側板３２および下側板３３の端縁同士を接合する端板３４、３５とを具備している。
そして、底板３１と上側板３２とは、断面円弧状の曲面３６を介して連続し、底板３１と下側板３３とは、断面円弧状の曲面３９を介して連続している。そして、底板３１の略中央にはネット用ロックボルト２が貫通するためのボルト孔３７が形成され、底板３１の隅には水抜き用の水抜き孔３８ａ、３８ｂが形成されている。なお、それぞれ別々の板材からなる底板３１と下側板３３とを接合する場合、曲面３９の形成を省略してもよい。
【００１７】
このとき、ネット用支圧板３を前記函体にしたのは、転石８００が浮き上がったり滑落を開始しようとした際、ネット１を介して転石８００の荷重を確実に受け止めるためである。すなわち、端板３４、３５は、上側板３２が斜面下側に倒れないようにする補強板として機能している。
また、底板３１と上側板３２とが断面円弧状の曲面３６を介して連続しているのは、ネット用支圧板３が転石８００の荷重を受け止めた際、ネット１は底板３１と上側板３２との境目に強く押し付けられるため、かかる境界の面積を広くすることによって、ネット１に集中的な荷重がかからないようにするためである。
また、ネット用支圧板３は、上側板３２や下側板３３によって、ネット１上やネット用支圧板３上に吹き寄せられた（落下した）落葉や土砂類の散逸が抑えられるため、落葉類の堆積が促進される。したがって、転石固定構造１００を設置した後、比較的早い時期に、転石固定構造１００上に腐葉土が積もることによって、転石固定構造１００は植生に覆われ、緑化の促進により自然の美観が戻るため、環境保全に寄与する。
【００１８】
なお、本発明は、転石８００の浮き上がりの前や転石８００の滑落の初期に、転石８００を斜面９００に押し付けることを目的に、転石８００の斜面下側で転石８００に近い位置においてネット１を斜面９００に押し付けるものであるから、ネット用ロックボルト２およびネット用支圧板３を前記形態に限定するものではない。
例えば、転石８００が小さく軽量である場合には、ネット用ロックボルト２は３本未満でよく、一方、転石８００が大きく重い場合や一個所に複数の転石８００が集まっている場合には、ネット用ロックボルト２を４本以上にする。
また、縦ワイヤー６が３本以上の場合で、縦ワイヤー６が転石８００上を通過する場合には、ネット用支圧板３が当該縦ワイヤー６を押さえ付けてもよい。また、ネット用支圧板３の補強を要しない場合には、端板３４、３５を撤去してもよく、また、落葉類の堆積促進を要しない場合には、上側板３２や下側板３３を撤去してもよい。さらに、底板３１を略円弧状の平板に代えて、矩形状や円形にしてもよい。
さらに、ネット１は、ネット用支圧板３に当接する位置において、斜面９００に当接する場合（挾持される場合）と、斜面９００から浮き上がる場合とがある。
【００１９】
（ネット用ロックボルト）
図３において、ネット用ロックボルト２は、外面に雄ネジ（または螺旋状の突条）２１が形成された棒体または管体であって、斜面９００に形成されたロックボルト設置穴９１０に配置され、グラウト材（セメントミルク）９２０によって抜け出し不能に固定されている。なお、ネット用ロックボルト２の下端には掘削ビット２９が固定され、ロックボルト設置穴９１０を形成しながら掘り進める自穿孔式であるが、本発明は自穿孔式に限定するものではなく、予め形成したロックボルト設置穴９１０にネット用ロックボルト２を挿入するものであってもよい。
【００２０】
斜面９００に固定されたネット用ロックボルト２は、ネット１の網目およびネット用支圧板３のボルト孔３７を貫通している。そして、ネット用支圧板３の底板３１の上に、それぞれ、ネット用ロックボルト２が貫通する貫通孔が形成されている矩形平板である角座金２２とキャップワッシャー２３と、キャップワッシャー２３の内球面２３ｄに摺動自在な外球面２４ｂを具備するロックナット２４とが配置され、ロックナット２４がネット用ロックボルト２に螺合している。すなわち、内球面２３ｄと外球面２４ｂとが摺動するから、仮に、ネット用ロックボルト２とネット用支圧板３の底板３１とが垂直でない場合であっても、ロックナット２４は、角座金２２とキャップワッシャー２３とを斜面９００側に押し付けることができる。
さらに、ネット用ロックボルト２の上端およびロックナット２７を覆うキャップ２５が設置され、キャップ２５内に防錆材２６が封入されている。
【００２１】
図４の（ａ）において、キャップワッシャー２３はネット用ロックボルト２が貫通自在な内面２３ａを具備する略円筒状であって、円形平面である底面２３ｂと、外面に形成された雄ネジ２３ｃと、内面に形成された内球面２３ｄとを具備している。
図４の（ｂ）において、ロックナット２４は、ネット用ロックボルト２の雄ネジ２１に螺合する雌ネジ２４ａを具備する筒状体であって、外面には、キャップワッシャー２３の内球面２３ｄに摺動自在な外球面２４ｂと、回転工具（スパナ等）によって把持される断面六角の把持部２４ｃとを具備する。
図４の（ｃ）において、キャップ２５は、キャップワッシャー２３の雄ネジ２３ｃに螺合する雌ネジ２５ａを具備する筒体であって、平面である底面２５ｂと、回転工具（スパナ等）によって把持される断面略多角形（円筒外面の対角位置に平面が形成されている）の把持部２５ｃと、円筒部分と天井部分とが結合したドーム部２５ｄと、ドーム部２５ｄの天井部分に形成された注入孔２５ｅ（図３参照）と、注入孔２５ｅに形成された雌ネジ２４ａに螺合する雄ネジを具備する栓２５ｆと、を具備している。また、底面２５ｂには、環状の凹部が形成され、該凹部にシールリング２５ｇが配置されている。
【００２２】
（ワイヤー用支圧板）
図５において、ワイヤー用支圧板５は、矩形平板を断面Ｌ字状に形成（曲げ加工）したものであって、ワイヤー用ロックボルト４が貫通するためのボルト孔５７が形成された底板５１と、底板５１に断面円弧の曲面５６を介して連続する上側板５２とを具備する。
すなわち、ワイヤー用支圧板５は、ネット用支圧板３における下側板３３、端板３４、３５および水抜き孔３８ａ、３８ｂを撤去したものに同じである。ネット用支圧板３は、ネット１を介して転石８００の荷重を確実に受け止めるために、端板３４、３５によって補強しているが、ワイヤー用支圧板５には、転石８００の荷重が直接作用するものではないため、補強のための部材の設置を省略し、製造コストを安価に押さえている。なお、底板５１の側縁５９に、ネット用支圧板３の曲面３９に準じて、断面円弧の曲面を形成してもよい。
なお、上側板５２は底板５１に対して、斜面９００の斜面上側のみに配置されるものではなく、底板５１よりも斜面下側に配置されたり、斜面９００の最大傾斜線に対して所定の角度を持って斜めに配置されたりするものである。なお、ワイヤー用支圧板５に代えて、ネット用支圧板３を設置することも、当然可能である。
【００２３】
なお、ワイヤー用支圧板５の形成要領は限定するものではなく、例えば、断面Ｌ字状の鋼材を切断して形成してもよく、このとき、曲面５６を設けても設けなくてもよい。また、底板５１は矩形状に限定するものではなく、円形平板にして、弦の位置（外周でない位置）に上側板５２を設置してもよい。
そして、ワイヤー用支圧板５は、上側板５２を具備するから、ネット用支圧板３と同様に、落葉類の堆積が促進されるから、緑化の促進により自然の美観が戻るため、環境保全に寄与する。なお、環境保全の要請がない場合には、上側板５２を撤去してもよい。
【００２４】
（ワイヤー用ロックボルト）
図６において、ワイヤー用ロックボルト４は、ネット用ロックボルト２と同じ構造であるから、ネット用ロックボルト２と同じ符号を付し、説明を省略する。
そして、ネット用ロックボルト２は、ネット用支圧板３が設置されることによってネット１を押さえ付けるのに対し、ワイヤー用ロックボルト４は、ワイヤー用支圧板５が設置されることによって、縦ワイヤー６と横ワイヤー７との交差部を押さえ付けるものである（但し、縦ワイヤー６または横ワイヤー７の端部以外の位置を押さえ付ける場合は、両者の交差部を押さえ付けない場合がある）。
なお、縦ワイヤー６または横ワイヤー７は、ワイヤー用支圧板５に当接する位置において、斜面９００に当接する場合（挾持される場合）と、斜面９００から浮き上がる場合とがある。
【００２５】
（ワイヤークリップ）
図７の（ａ）、（ｂ）および（ｃ）において、ワイヤークリップ９は、両端にそれぞれ雄ネジ９１ａ、９１ｂが形成され、懐部９２を具備するＵ字状部材９０と、雄ネジ９１ａ、９１ｂに螺合するナット９３ａ、９３ｂと、雄ネジ９１ａ、９１ｂが貫通自在な貫通孔（図示しない）が形成された押さえ部材９４と、押さえ部材９４に設けられた突起９５ａ、９５ｂ、９５ｃ、９５ｄと、突起９５ａと突起９５ｂとによって形成された把持溝９６ａと、突起９５ｃと突起９５ｄとによって形成された把持溝９６ｂと、を具備している。
以下、共通する内容については符号の添え字「ａ、ｂ、ｃ、ｄ」の記載を省略する。
【００２６】
したがって、懐部９２と把持溝９６に一対のワイヤー部分を配置し、ナット９３を締め込むことによって、押さえ部材９４をワイヤーの部分に押し付けることにより、一対のワイヤー部分は互いに移動困難な状態で把持される。
縦ワイヤー６の折り返し範囲６２の一部と重なり範囲６３の一部とは、Ｕ字状部材９０の懐部に押し込まれ、ナット９３を回転することによって、当該懐部と押さえ部材９４とによって把持される。また、横ワイヤー７についても同様である。
【００２７】
（縦ワイヤー・横ワイヤー）
図８において、縦ワイヤー６および横ワイヤー７は、それぞれ所定の強度を具備するものであって、複数本の素線が撚り合わさったもの（例えば、外径１２ｍｍ）である。
そして、縦ワイヤー６は、端部６１から所定の長さの位置（以下「折り返し位置」と称す）６２において折り返され、端部６１と折り返し位置６２との範囲である折り返し範囲６３は、折り返し位置６２よりも本体側（端部６１とは反対側に同じ）の重なり範囲６４に重なって、所定の間隔を空けて配置されたワイヤークリップ９によって把持されている。このとき、折り返し位置６２において、係止孔６５が形成される。
また、同様に、横ワイヤー７にも係止孔７５が形成され、折り返し範囲７３と重なり範囲７４とは、ワイヤークリップ９によって把持されている。
【００２８】
そして、ワイヤー用ロックボルト４は縦ワイヤー６の係止孔６５と横ワイヤー７の係止孔７５とを貫通している。すなわち、縦ワイヤー６と横ワイヤー７とは、係止孔６５と係止孔７５とにおいて交差し、当該交差部はワイヤー用ロックボルト４よって位置決めされ、確実に当接し、斜面９００に沿って移動不能に位置決めされている。さらに、当該交差部はワイヤー用支圧板５によって斜面９００の方向に押し込まれている（図６参照）。
なお、係止孔６５の形成要領は限定されるものではなく、縦ワイヤー６の折り返し位置６２をワイヤー用ロックボルト４に押し当て、巻回するように折り曲げることによって係止孔６５を形成し、その後に、ワイヤークリップ９によって、折り返し範囲６３と重なり範囲６４とを把持してもよいし、予め、ワイヤークリップ９が設置され、係止孔６５を形成されている状態にして、係止孔６５をワイヤー用ロックボルト４に被せるようにしてもよい。そして、横ワイヤー７についても同様である。
【００２９】
（ネット）
ネット１を形成する鋼線の外径・強度（化学成分等）や網目の大きさ（目開き）は、転石８００の重量・数量や斜面９００の傾斜度、あるいはネット１を敷設する面積等によって、決定されたものである（例えば、外径４ｍｍの鋼線によって５０ｍｍ角の目開きが形成された菱形金網等）。
また、ネット１と縦ワイヤー６とは結合コイル８によって結合されている（図８参照）。結合コイル８は、例えば、外径４ｍｍの鋼線によって形成され、外径が７０ｍｍで長さが３００ｍｍであるが、かかる寸法は、ネット１や縦ワイヤー６の形状等によって、適宜選定されるものである。また、結合コイル８は間隔を空けて設置しても、互いに重なるように設置してもよい。本発明はネット１と縦ワイヤー６との結合手段を結合コイル８に限定するものではない。そして、ネット１と横ワイヤー７との結合において同様である。
【００３０】
（作用効果）
転石固定構造１００は以上の構成であるから、転石８００の斜面下側で、転石８００の近い位置にネット用支圧板３が設置されているから、転石８００の浮き上がりが防止され、転石８００が滑落を開始した場合でも、滑落の早い時期に滑落を防止することができる。したがって、ネット１に加わる衝撃力を小さく抑え、かつ、転石８００の摺動や擦過による損傷を抑えることができるから、ネット１を過剰に高い強度にする必要がなくなり、資材コストを抑えることができると共に、構造体としても信頼性が高まる。
しかも、ネット１の下方の終端部は、ワイヤー用支圧板５よって斜面９００に押し付けられた横ワイヤー７ｂ（両端部の係止孔７５がワイヤー用ロックボルト４に係止している）に結合コイル８によって結合されているから、仮に、転石８００がネット１の下方の終端部（横ワイヤー７ｂの近く）にまで滑落したとしても、ネット１と斜面９００との間を潜り抜けて、道路等に転がり出ることがない。
さらに、ネット用支圧板３には上側板３２や下側板３３が、ワイヤー用支圧板５には上側板５２が、それぞれ設けられているから、落葉や土砂類の散逸が抑えられるため、落葉類の堆積が促進される。したがって、転石固定構造１００を設置した後、比較的早い時期に、転石固定構造１００上に腐葉土が積もることによって、転石固定構造１００は植生に覆われ、緑化の促進により自然の美観が戻るため、環境保全に寄与する。
【００３１】
［実施の形態２］
図９は本発明の実施形態２に係る転石固定工法を説明するフローチャートである。なお、実施の形態１と同じ部分にはこれと同じ符号を付し、一部の説明を省略する。
図９において、転石固定工法２００は、実施の形態１で説明した転石固定構造１００（図１参照）を構築する工法であって、まず、転石８００が存在する斜面９００において、転石８００の形状に略沿うように、転石８００の下方で転石に近い位置に、ネット用ロックボルト２ａ、２ｂ、２ｃを固定する（Ｓ１）。
また、転石８００を包囲するネット敷設範囲９０１の四隅（図１において「イ、ロ、ハ、ニ」にて示す）に、ワイヤー用ロックボルト４ａ、４ｂ、４ｃ、４ｄを固定する（Ｓ２）。
ネット敷設範囲９０１を覆うことができる面積を具備するネット１を用意し、その上縁近くの網目を、斜面上側のワイヤー用ロックボルト４ａ、４ｂが貫通した状態で、ネット１を斜面９００に載置する（Ｓ３）。
そして、ワイヤー用ロックボルト４ａに縦ワイヤー６ａおよび横ワイヤー７ａを、ワイヤー用ロックボルト４ｂに縦ワイヤー６ｂおよび横ワイヤー７ａを、それぞれ係止する（Ｓ４）。
そこで、ワイヤー用ロックボルト４ａ、４ｂにワイヤー用支圧板５ａ、５ｂを設置して、斜面上側の横ワイヤー７ａを斜面９００に押し付ける（Ｓ５）。
さらに、吊り下がった状態になったネット１を、転石８００の下方まで引き下ろし、網目をネット用ロックボルト２が貫通した状態にし、ネット用ロックボルト２にネット用支圧板３を設置して、ネット１の転石８００の下方部分を斜面９００に向かって押し付ける（Ｓ６）。
【００３２】
さらに、ネット１を引き下げて、網目を斜面下側のワイヤー用ロックボルト４ｃ、４ｄが貫通した状態にする（Ｓ７）。
そこで、ワイヤー用ロックボルト４ｃに縦ワイヤー６ｂおよび横ワイヤー７ｂを、ワイヤー用ロックボルト４ｄに縦ワイヤー６ａおよび横ワイヤー７ｂを、それぞれ係止する（Ｓ８）。
そして、ワイヤー用ロックボルト４ｃ、４ｄにワイヤー用支圧板５ｃ、５ｄを設置して、縦ワイヤー６ａ、６ｂおよび横ワイヤー７ｂを斜面９００に押し付ける（Ｓ９）。
また、ネット１と縦ワイヤー６とを、およびネット１と横ワイヤー７とを、それぞれ結合コイル８によって結合する（Ｓ１０）。
【００３３】
以上は、基本的なフローを示すものであって、各工程（ステップ）の順番は適宜変更されたり（前後が入れ替わったり）、繰り返されるものである。例えば、結合コイル８によるネット１と縦ワイヤー６との結合やネット１と横ワイヤー７との結合は、前記それぞれの工程の間で複数回に分けて実施してもよい。
なお、斜面上側のワイヤー用支圧板５ａ、５ｂの設置と、斜面下側のワイヤー用支圧板５ｃ、５ｄの設置とを同時に実施しないのは、四隅のワイヤー用支圧板５を全て設置した後、ネット用支圧板３を設置したのでは、ネット１に引張力が作用して損傷するおそれがあるからである。
【００３４】
また、斜面９００に起伏がある場合等、四隅以外の位置にワイヤー用ロックボルト４が固定されている場合には、斜面上側からワイヤー用ロックボルト４が固定されている斜面途中の位置にまでネット１を引き下ろし、当該位置においてワイヤー用支圧板５を設置して、ネット１および縦ワイヤー６を斜面に押し付け、次に、より斜面下方のワイヤー用ロックボルト４が固定されている位置にまでネット１を引き下ろし、当該位置においてワイヤー用支圧板５を設置し、ネット１および縦ワイヤー６を斜面に押し付ける作業を繰り返すことになる。
【産業上の利用可能性】
【００３５】
本発明は、以上の構成であるから、転石の発生を抑えたり、滑落初期に滑落を効果的に食い止めることができるから、各種条件の斜面に広く設置することができる転石防止構造および転石防止工法として広く利用することができる。
【符号の説明】
【００３６】
１  ネット
２  ネット用ロックボルト
３  ネット用支圧板
４  ワイヤー用ロックボルト
５  ワイヤー用支圧板
６  縦ワイヤー
７  横ワイヤー
８  結合コイル
９  ワイヤークリップ
２１  雄ネジ
２２  角座金
２３  キャップワッシャー
２３ａ  内面
２３ｂ  底面
２３ｃ  雄ネジ
２３ｄ  内球面
２４    ロックナット
２４ａ  雌ネジ
２４ｂ  外球面
２４ｃ  把持部
２５    キャップ
２５ｂ  底面
２５ｃ  把持部
２５ｄ  ドーム部
２５ｅ  注入孔
２５ｆ  栓
２５ｇ  シールリング
２６  防錆材
２９  掘削ビット
３１  底板
３２  上側板
３３  下側板
３４  端板
３５  端板
３６  曲面
３７  ボルト孔
３８  水抜き孔
３９  曲面
５１  底板
５２  上側板
５６  曲面
５７  ボルト孔
５９  側縁
６１  端部
６２  折り返し位置
６３  折り返し範囲
６４  重なり範囲
６５  係止孔
７３  折り返し範囲
７４  重なり範囲
７５  係止孔
９０  Ｕ字状部材
９１  雄ネジ
９２  懐部
９３  ナット
９４  押さえ部材
９５  突起
９６  把持溝
１００  転石固定構造
２００  転石固定工法
８００  転石
９００  斜面
９０１  ネット敷設範囲
９１０  ロックボルト設置穴
９２０  グラウト材（セメントミルク）
【図１】
0006017840.tif 000002
【図２】
0006017840.tif 000003
【図３】
0006017840.tif 000004
【図４】
0006017840.tif 000005
【図５】
0006017840.tif 000006
【図６】
0006017840.tif 000007
【図７】
0006017840.tif 000008
【図８】
0006017840.tif 000009
【図９】
0006017840.tif 000010